(57)【要約】【課題】  車輪付き家具を移動することで簡単にトイレスペースを確保し、この家具の移動跡に現れる洋式水洗便器を使用可能にすると共に、普段は遮蔽されて洋式水洗便器が見えず、また、前記トイレスペースが地震時における避難スペースにもなり、狭いスペースを有効活用可能である室内便器収納方法および室内便器収納構造ならびに居室を提供すること。【解決手段】  室内１の隅部１ａに配置した洋式水洗便器２を、床上１ｄを移動可能な車輪付き家具８における少なくとも背面側および／または一側面側に開口状の前記洋式水洗便器２が収納可能な大きさの便器収納部９内に遮蔽状に収納し、この家具８を正面側あるいは他側面側に移動することで前記洋式水洗便器２が使用可能に露呈し且つ家具８の移動跡のトイレスペースＳが形成されるようにした。【選択図】  図４
2007202832.tif 000002
【特許請求の範囲】
【請求項１】
室内に、該室内の隅部に配置した洋式水洗便器と、前記洋式水洗便器が収納可能な大きさの便器収納部を底面側と背面側と一側面側の少なくとも背面側に開口して形成してある車輪付き家具を有し、この車輪付き家具を洋式水洗便器に対して接離する方向に床上を移動および停止状態にロック可能に形成すると共に、該家具における背面側および／または一側面側に手摺り部を配設してあることを特徴とする室内便器収納構造。
【請求項２】
手摺り部を、家具の間隔調整手段より洋式水洗便器前部との間の間隔を拡縮調整可能に移動自在に形成してあることを特徴とする請求項１記載の室内便器収納構造。
【請求項３】
車輪付き家具が、室内のガイドレールに沿い床上を移動可能であることを特徴とする請求項１または２記載の室内便器収納構造。
【請求項４】
請求項１〜３のいずれか１項記載の室内便器収納構造を有することを特徴とする居室。
【発明の詳細な説明】
【技術分野】
【０００１】
本発明は、室内の隅部に配置された洋式水洗便器の収納構造ならびに居室に関する。
【背景技術】
【０００２】
特許文献１に掲載されている家具調圧送便器がある。これの構成は、少なくとも洗浄水を貯留するロータンクと、排水を溜める汚水タンク及び排水を圧送する圧送ポンプを隠蔽状に内装させ、家具調に外装仕上げしたものである。また、底側に移動可能に車輪を設けたことが記載され、さらに、前記圧送ポンプに接続された排水用ホースを、内部に隠蔽状に収納可能に構成したことが記載されている。
そして、外観が家具調に形成されて室内に設置しても不潔感がなく、他の家具と一体感をなして室内に良好に設置することができるものとなる。また、容易に設置場所を移動させて移設することができるものとなる。また、排水用ホースをも内部に隠蔽させて良好な家具調に仕上げることができ、所定場所に設置後に容易に排水用ホースを取り出して排水管等に接続し、室内に容易に家具調圧送便器の設置が可能となる効果があるとしている。
ところが、かかる家具調圧送便器では、洗浄水を貯留するロータンクと、排水を溜める汚水タンク及び排水を圧送する圧送ポンプを内装した一体型であるために、各タンクは一定以上の容量のものになって大型化し、しかも、ロータンクへの洗浄水の給水作業や排水用ホースを取り出して排水管等に接続する作業を要し、衛生面からも慎重な作業になるし、また、排水用ホースが屋内を這うことになって見た目の印象が悪い。
【特許文献１】特開２００４−５７４９
【発明の開示】
【発明が解決しようとする課題】
【０００３】
解決しようとする課題は、第１には、車輪付き家具を移動することで簡単にトイレスペースを確保し、この家具の移動跡に現れる洋式水洗便器を該便器の前および／または前横の手摺り部を掴んだり肘を置く等して、洋式水洗便器に座ったり立ち上がったりする際に体力的な負担が大きい高齢者や肥満の人等でも比較的にたやすく動いて使用可能にすると共に、普段は遮蔽されて洋式水洗便器が見えず、また、前記トイレスペースが地震時における避難スペースにもなり、狭いスペースを有効活用可能である室内便器収納構造を、第２には、さらに、洋式水洗便器前部と手摺り部との間の間隔を体の大きさに応じて調整して、もっとも使い易いように手摺り部位置を調整可能である室内便器収納構造を、第３には、さらに、車輪付き家具の移動が容易である室内便器収納構造を、第４には、家具そしてトイレスペースさらに避難スペースを共有し、日常生活を支障なく送ることが可能であると共に地震等の緊急時に備えがある居室を提供することにある。
【課題を解決するための手段】
【０００４】
本発明は前記した課題を達成するため、以下の構成にしたことを特徴とする。
１．室内に、該室内の隅部に配置した洋式水洗便器と、前記洋式水洗便器が収納可能な大きさの便器収納部を底面側と背面側と一側面側の少なくとも背面側に開口して形成してある車輪付き家具を有し、この車輪付き家具を洋式水洗便器に対して接離する方向に床上を移動および停止状態にロック可能に形成すると共に、該家具における背面側および／または一側面側に手摺り部を配設してあることを特徴とする。
２．前記した１において、手摺り部を、家具の間隔調整手段より洋式水洗便器前部との間の間隔を拡縮調整可能に移動自在に形成してあることを特徴とする。
３．前記した１または２において、車輪付き家具が、室内のガイドレールに沿い床上を移動可能であることを特徴とする。
本発明の居室では以下の構成にしたことを特徴とする。
４．前記した１〜３のいずれか１記載の室内便器収納構造を有していることを特徴とする。
【０００５】
本発明における室内の隅部に配置される洋式水洗便器は、床据え付けタイプのものであってもよいし、壁に取り付け固定される壁取付タイプのものでもよい。また、局部洗浄乾燥装置付きのものでもよいし、便座が加温可能なものであってもよい。
家具は、車輪付きのものになり、椅子（長椅子を含む）、洋箪笥，和箪笥，整理箪笥，茶箪笥等の各種の箪笥、戸棚、書棚等が挙げられ、上からの荷重に強い構造にしてあるものが望ましい。車輪は、家具の移動方向が自由である旋回可能なキャスタータイプあるいは移動方向が一方向に規制されるコロタイプのもの等が挙げられる。この車輪による家具の移動および停止は、各車輪に備えられているブレーキを個別に操作して行なうタイプのものであってもよいし、家具あるいは手摺り部に備えられているレバー等でコントロールケーブルを経て遠隔操作して行なうタイプのものでもよく、この場合は取り扱い操作しやすくなる。たとえば、車輪がロックされた状態を、レバーを引く等の操作をすることでロック解除し得るようにしてもよいし、また、車輪のロックピンをソレノイドで駆動させてロック解除するようにしてある電動タイプのものでもよい。
かかる家具における便器収納部は、少なくとも洋式水洗便器を収納可能な大きさに開口されるが、さらに、洋式水洗便器に接続する給水管等の配管、洋式水洗便器における局部洗浄乾燥装置の洗浄・乾燥等の各種スイッチ類がある操作盤等を含めて遮蔽可能に開口形成していてもよい。また便器収納部は、洋式水洗便器が床据え付けタイプのものである場合、少なくとも底面側を含めて背面側に開口形成されることになり、洋式水洗便器が壁取付タイプのものである場合には少なくとも背面側に開口形成されていればよく、底面側は開口してもしなくともよい。
また、家具における手摺り部は、家具が椅子である場合には背凭れ上縁部あるいは肘掛部を手摺り部としてもよいし、この背凭れ上縁部あるいは肘掛部さらには箪笥等の背面側あるいは側面側に指掛け溝あるいは指掛け孔を形成するか棒状体あるいは板状体等を配設して手摺り部を形成するようにしてもよい。また、手摺り部は、固定式でも、洋式水洗便器前方に向けて引き出しあるいは揺動可能なものでも、洋式水洗便器前部との間の間隔を調整可能に形成してあるものでもよい。かかる手摺り部の間隔調整手段は、体の大きさに応じて洋式水洗便器前部との間の間隔を調整可能なものであればよい。
ガイドレールは、洋式水洗便器に対して家具を接離可能な方向に誘導可能であればよく、壁面あるいは天井もしくは床に配設してもよい。
居室とは、寝室を含む屋内の全ての居住空間を指す。
【発明の効果】
【０００６】
Ａ．請求項１により、車輪付き家具を移動することで簡単にトイレスペースが確保でき、この家具の移動跡に現れる洋式水洗便器を該便器の前および／または前横の手摺り部を掴んだり肘を置く等して、洋式水洗便器に座ったり立ち上がったりする際に体力的な負担が大きい高齢者や肥満の人等でも比較的にたやすく動いて使用できる。そして、使用後には家具を戻すことにより、洋式水洗便器が家具で遮蔽されて見えなくなるので、訪問者は洋式水洗便器があることさえ気付かず違和感がない。また、前記トイレスペースは移動させた家具と壁面との間に確保されるので、地震時における避難スペースとしても有用であり、狭いスペースを有効活用できる。
Ｂ．請求項２により、さらに、手摺り部との間の間隔を体の大きさに応じて調整することができ、老若男女を問わず各人がもっとも使い易いように調整できる。
Ｃ．請求項３により、さらに、車輪付き家具が予期せぬ方向に動くようなことがなく、動きが方向づけられていて移動が容易である。
Ｄ．請求項４により、家具そしてトイレスペースさらに避難スペースを共有していることで、日常生活を支障なく送ることができると共に地震等の緊急時にも有用である。
【発明を実施するための最良の形態】
【０００７】
図１〜図５には本発明の室内便器収納構造における実施の１形態を例示しており、寝室１の隅部１ａに洋式水洗便器２を正面の壁面部１ｂに沿うように横向きに据え付けてある。また、洋式水洗便器２近くの壁面部１ｂには換気扇１８を備えて臭気等が抜け易くしてある。
洋式水洗便器２は、局部洗浄乾燥機能付きの据え置きタイプのもので、正面の壁面部１ｂの給水管３から吐水レバー付き洗浄水タンク２ａを経てボール面２ｂに給水可能にしてある。この洋式水洗便器２脇の正面の壁面部１ｂにはペーパーホルダー４および略Ｌ字状手摺り杆５ならびに局部洗浄乾燥装置（図示セズ）における洗浄・乾燥等の各種スイッチ類がある操作盤６を使い易い位置関係に適宜配設してある。
そして、洋式水洗便器２の直上の天井部１ｃには左右一対のガイドレール７を正面の壁面部１ｂ際から手前に向けて前後方向に垂設し、この左右平行状のガイドレール７に沿い床部１ｄ上の洋箪笥８を正面側および背面側（前後方向）に移動可能に配設してある。
【０００８】
洋箪笥８は、上面側の左右側縁に断面略Ｌ状の凹部８ａを設け、この左右の凹部８ａにそれぞれ遊合状のガイドレール７に誘導されて前後方向に移動可能に形成してある。また、洋箪笥８における底面側の四隅には車輪８ｂを固設して床部１ｄ上を移動しやすくしてあると共に、左右側面の操作レバー８ｖを操作することでコントロールケーブルを経て車輪８ｂをロックおよびロック解除して移動および停止可能にしてあり、背面側には便器収納部８ｃを底面側を含めて開口して形成してある。便器収納部８ｃは、隅部１ａの洋式水洗便器２及び壁面部１ｂのペーパーホルダー４，略Ｌ字状手摺り杆５，操作盤６を収納して遮蔽可能な大きさに形成してある。
便器収納部８ｃ内におけるほぼ中間の床上６０ｃｍ程度の高さに横棒状手摺り杆８ｉを備えてある。この横棒状手摺り杆８ｉはホルダー８ｊ内すなわち便器収納部８ｃ内から洋式水洗便器２の前部２ｃの前側すなわち同便器の使用時に手あるいは腕を掛けやすい位置にまで引き出しおよび押し戻し可能に設けてある。そして、横棒状手摺り杆８ｉは洋式水洗便器２の前部２ｃとの間の間隔を拡縮調整可能に形成してある。具体的には、ベース部８ｋにホルダー８ｊを配設して間隔調整手段８ｍにより左右方向に移動およびロック可能に配設してある。また、便器収納部８ｃ内におけるホルダー８ｊ後端近くに縦棒状手摺り杆８ｕを配設してある。
【０００９】
間隔調整手段８ｍは、ホルダー８ｊのアーム部８ｎにおける左右方向の長孔８ｐにレバー８ｒのネジ部８ｓを通し、該ネジ部８ｓをベース部８ｋのネジ孔８ｔに螺合してあり、このレバー８ｒを回して締めつけてベース部８ｋにアーム部８ｎを固定することで、横棒状手摺り杆８ｉを洋式水洗便器２の前部２ｃの適宜間隔をおいた前位置にロック自在であると共に、レバー８ｒを逆回しして緩めてホルダー８ｊを左右に移動させることで、横棒状手摺り杆８ｉと洋式水洗便器２の前部２ｃとの間隔を調整自在にしてある。
また、洋箪笥８の正面側には、観音開きの扉８ｄを開閉することで洋服等を出し入れ可能な収納部８ｅ、引き違いの戸８ｆを開閉することで小物等を出し入れ可能な収納部８ｇ、引出し８ｈを設けてある。
かかる洋箪笥８は、上からの荷重に強いように構造化し、地震等で天井が落ちた場合でも該天井を受け止めて正面の壁面部１ｂとの間に避難空間９を確保し得るように形成してある。
【００１０】
これにより、洋箪笥８がガイドレール７に案内されて後方へ移動して、背面側が正面の壁面部１ｂに添接した状態では、便器収納部８ｃ内に洋式水洗便器２，ペーパーホルダー４，略Ｌ字状手摺り杆５，操作盤６が収納されて外から見えないように遮蔽されることになる（図４参照）。
そして、洋箪笥８がガイドレール７に案内されて前方へ移動して、背面側が正面の壁面部１ｂから離れて洋式水洗便器２がこれを使用可能なまでに現れた状態では、洋式水洗便器２，ペーパーホルダー４，略Ｌ字状手摺り杆５，操作盤６が全て使用可能に見えるように現れてトイレスペースＳが形成され且つ避難空間９が確保されることになる（図３参照）。また、略Ｌ字状手摺り杆５に左手を、縦棒状手摺り杆８ｕに右手を、それぞれ掛けることにより、洋式水洗便器２に対する立ち座り動作がし易くなる。また、横棒状手摺り杆８ｉを引き出して両手あるいは両腕を掛けることにより、洋式水洗便器２に対する立ち座り動作がし易くなる。さらに、レバー８ｒ操作により、洋式水洗便器２の前部２ｃと横棒状手摺り杆８ｉとの間の間隔を体の大きさに応じて使いやすく調整可能である。
【００１１】
図６〜図９には本発明の室内便器収納構造の他の１形態を例示しており、構成は前記した図１の態様のものと基本的に同一であるため、共通している構成の説明については符合を準用して省略し、相違する構成について説明する。
寝室１の右奥の隅部１ａに洋式の水洗便器２を正面の壁面部１ｂに沿うように横向きに据え付けてある。
洋式水洗便器２は、局部洗浄乾燥機能付きの据え置きタイプのもので、右側面の壁面部１ｂの給水レバー付き給水管３からボール面２ｂに給水可能にしてある。この洋式水洗便器２脇の正面の壁面部１ｂにはペーパーホルダー４，略Ｌ字状手摺り杆５，操作盤６を使い易い位置関係に適宜配設してある。
そして、正面の壁面部１ｂにおけるペーパーホルダー４，略Ｌ字状手摺り杆５，操作盤６よりも高い位置にはガイドレール１０を壁面部１ｂに沿い左右方向に配設し、この左右方向のガイドレール１０に沿い床部１ｄ上の整理箪笥１１を左右方向に移動可能に配設してある。
【００１２】
整理箪笥１１は、上面側の後側縁に突条１１ａを垂設し、この突条１１ａが溝部１０ａに遊合状のガイドレール１０に誘導されて左右方向に移動可能に形成してある。また、整理箪笥１１における底面側の前二隅には車輪１１ｂを固設して床部１ｄ上を移動しやすくしてあると共に、正面右側の操作レバー１１ｆを操作することでコントロールケーブルを経て車輪１１ｂをロックおよびロック解除して移動および停止可能にしてあり、背面側および右側面側ならびに底面側を開口して便器収納部１１ｃを形成してある。この便器収納部１１ｃは、隅部１ａの洋式水洗便器２及び壁面部１ｂのペーパーホルダー４，略Ｌ字状手摺り杆５，操作盤６を収納して遮蔽可能な大きさに形成してある。
便器収納部１１ｃ内における右側面側には横バー状手摺り杆１１ｇを配設し、洋式水洗便器２の使用時に両手あるいは両腕を掛けられるように形成してある。
また、整理箪笥１１の正面側には、引き違いの戸１１ｄを開閉することで小物等を出し入れ可能な収納部１１ｅを設けてある。
かかる整理箪笥１１は、上からの荷重に強いように構造化し、地震等で天井が落ちた場合でも該天井を受け止めて正面および右側面の壁面部１ｂとの間に避難空間１２を確保し得るように形成してある。
【００１３】
これにより、整理箪笥１１がガイドレール１０に案内されて右方へ移動して、右側面側が右側面の壁面部１ｂに添接した状態では、便器収納部１１ｃ内に洋式水洗便器２，ペーパーホルダー４，略Ｌ字状手摺り杆５，操作盤６が収納されて外から見えないように遮蔽されることになる（図６参照）。
そして、整理箪笥１１がガイドレール１０に案内されて左方へ移動して、右側面側が右側面の壁面部１ｂから離れて洋式水洗便器２がこれを使用可能なまでに現れた状態では、洋式水洗便器２，ペーパーホルダー４，略Ｌ字状手摺り杆５，操作盤６が全て使用可能に見えるように現れてトイレスペースＳが形成され且つ避難空間１２が確保されることになる（図８参照）。また、横バー状手摺り杆１１ｇに両手あるいは両腕を掛けることにより、洋式水洗便器２に対する立ち座り動作がし易くなる。さらに、操作レバー１１ｆ操作により、洋式水洗便器２の前部２ｃと横バー状手摺り杆１１ｇとの間の間隔を体の大きさに応じて使いやすく調整可能である。
【００１４】
図１０〜図１３には本発明の室内便器収納構造の他の１形態を例示しており、構成は前記した図１の態様のものと基本的に同一であるため、共通している構成の説明については符合を準用して省略し、相違する構成について説明する。
寝室１の隅部１ａに洋式の水洗便器２を正面の壁面部１ｂに沿うように横向きに据え付けてある。
洋式水洗便器２は、正面の壁面部１ｂの給水レバー付き給水管３からボール面２ｂに給水可能にしてある。このボール面２ｂへの給水は、操作盤６における給水ボタンを押すことによっても行なえるようにしてある。
洋式水洗便器２脇の正面の壁面部１ｂにはペーパーホルダー４および略Ｌ字状手摺り杆５ならびに局部洗浄乾燥装置（図示セズ）における洗浄・乾燥等の各種スイッチ類がある操作盤６を使い易い位置関係に適宜配設してある。
そして、床部１ｄ上には椅子１３を洋式水洗便器２に対して接離可能に正面側および背面側（前後方向）に移動可能に配設してある。
【００１５】
椅子１３は、底面側の四隅に車輪１３ａを固設して床部１ｄ上を前後方向に移動しやすくしてあると共に、左右側面の操作レバー１３ｋを操作することでコントロールケーブルを経て車輪１３ａをロックおよびロック解除して移動および停止可能にしてあり、背面側には便器収納部１３ｂを底面側を含めて開口して形成してある。この便器収納部１３ｂは、隅部１ａの洋式水洗便器２及び正面の壁面部１ｂのペーパーホルダー４，略Ｌ字状手摺り杆５，操作盤６を収納して遮蔽可能な大きさに形成してある。また、椅子１３の背凭れ上縁部１３ｃには、凹窪状手摺り部１３ｄおよび凹状収納部１３ｅを設け、凹窪状手摺り部１３ｄは、洋式水洗便器２の使用時に左手を掛けられるように形成してある。凹状収納部１３ｅには花器１４を出し入れ可能にして花を飾れるように形成してある。
椅子１３の背凭れ裏側における便器収納部１３ｂ内には縦棒状手摺り杆１３ｇを配設し、座部１３ｈ裏の左側縁内にはホルダー１３ｉを配設して、このホルダー１３ｉから横棒状手摺り杆１３ｊを洋式水洗便器２の前方すなわち同便器の使用時に手を掛けやすい位置にまで引き出しおよび押し戻し可能に形成してある。
横棒状手摺り杆１３ｊはホルダー１３ｉ内すなわち便器収納部１３ｂ内から洋式水洗便器２の前部２ｃの前側すなわち同便器の使用時に手あるいは腕を掛けやすい位置にまで引き出しおよび押し戻し可能に設けてある。そして、横棒状手摺り杆１３ｊは洋式水洗便器２の前部２ｃとの間の間隔を拡縮調整可能に形成してある。具体的には、座部１３ｈ裏にホルダー１３ｉを配設して間隔調整手段１３ｍにより左右方向に移動およびロック可能に配設してある。
【００１６】
間隔調整手段１３ｍは、ホルダー１３ｉのアーム部１３ｎにおける左右方向の長孔１３ｐにレバー１３ｒのネジ部１３ｓを通し、該ネジ部１３ｓを座部１３ｈ裏のネジ孔１３ｔに螺合してあり、このレバー１３ｒを回して締めつけて座部１３ｈ裏面にアーム部１３ｎを固定することで、横棒状手摺り杆１３ｊを洋式水洗便器２の前部２ｃの適宜間隔をおいた前位置にロック自在であると共に、レバー１３ｒを逆回しして緩めてホルダー１３ｉを左右に移動させることで、横棒状手摺り杆１３ｊと洋式水洗便器２の前部２ｃとの間隔を調整自在にしてある。
かかる椅子１３は、上からの荷重に強いように構造化し、地震等で天井が落ちた場合でも該天井を受け止めて正面の壁面部１ｂとの間に避難空間１５を確保し得るように形成してある。
また、座部１３ｈには蓋部１３ｕを下方の洋式水洗便器２におけるボール面２ｂの直上に位置するように配設し、この蓋部１３ｕを外した後の開口部１３ｖを通じて座部１３ｈに座ったままでもボール面２ｂに排泄し得るようにしてある。この蓋部１３ｕおよび開口部１３ｖは設けずともよい。
【００１７】
これにより、椅子１３が後方へ移動して、背面側が正面の壁面部１ｂに添接した状態では、便器収納部１３ｂ内に洋式水洗便器２，ペーパーホルダー４，略Ｌ字状手摺り杆５，操作盤６が収納されて外から見えないように遮蔽されることになる（図１２参照）。
そして、椅子１３が前方へ移動して、背面側が正面の壁面部１ｂから離れて洋式水洗便器２がこれを使用可能なまでに現れた状態では、洋式水洗便器２，ペーパーホルダー４，略Ｌ字状手摺り杆５，操作盤６が全て使用可能に見えるように現れてトイレスペースＳが形成され且つ避難空間１５が確保されることになる（図１０参照）。また、略Ｌ字状手摺り杆５に右手を、凹窪状手摺り部１３ｄあるいは縦棒状手摺り杆１３ｇに左手を、それぞれ掛けることにより、洋式水洗便器２に対する立ち座り動作がし易くなる。また、横棒状手摺り杆１３ｊを引き出して両手あるいは両腕を掛けることにより、洋式水洗便器２に対する立ち座り動作がし易くなる。また、操作レバー１３ｋ操作により、洋式水洗便器２の前部２ｃと横棒状手摺り杆１３ｊとの間の間隔を体の大きさに応じて使いやすく調整可能である。また、体調が悪くて椅子１３を動かし難い場合には、蓋部１３ｕを外して座部１３ｈに座ったまま排泄することもできる。
【００１８】
図１４〜図１７には本発明の室内便器収納構造の他の１形態を例示しており、構成は前記した図６の態様のものと基本的に同一であるため、共通している構成の説明については符合を準用して省略し、相違する構成について説明する。
寝室１の右奥の隅部１ａに洋式の水洗便器２を正面の壁面部１ｂに沿うように横向きに据え付けてある。
洋式水洗便器２は、局部洗浄乾燥機能付きの据え置きタイプのもので、右側面の壁面部１ｂの給水レバー付き給水管３からボール面２ｂに給水可能にしてある。この洋式水洗便器２脇の正面の壁面部１ｂにはペーパーホルダー４，略Ｌ字状手摺り杆５，操作盤６を使い易い位置関係に適宜配設してある。
そして、正面の壁面部１ｂにおけるペーパーホルダー４，略Ｌ字状手摺り杆５，操作盤６よりも高い位置にはガイドレール１６を壁面部１ｂに沿い左右方向に配設し、この左右方向のガイドレール１６に沿い床部１ｄ上の長椅子１７を左右方向に移動可能に配設してある。
【００１９】
長椅子１７は、背凭れ上面の後側縁に突条１７ａを垂設し、この突条１７ａが溝部１６ａに遊合状のガイドレール１６に誘導されて左右方向に移動可能に形成してある。また、長椅子１７における底面側の前二隅には車輪１７ｂを固設して床部１ｄ上を移動しやすくしてあると共に、肘掛部１７ｄ正面の操作レバー１７ｊを操作することでコントロールケーブルを経て車輪１７ｂをロックおよびロック解除して移動および停止可能にしてあり、背面側および右側面側ならびに底面側を開口して便器収納部１７ｃを形成してある。この便器収納部１７ｃは、隅部１ａの洋式水洗便器２及び壁面部１ｂのペーパーホルダー４，略Ｌ字状手摺り杆５，操作盤６を収納して遮蔽可能な大きさに形成してある。また、長椅子１７の肘掛部１７ｄには突状手摺り部１７ｅを突設し、洋式水洗便器２の使用時に両手を掛けられるように形成してある。座部１７ｆにおける左端には座部兼用蓋１７ｇを開閉することで凹状収納部１７ｈに物を出し入れ可能に形成してある。
椅子１３の肘掛部１７ｄ内には横バー状手摺り杆１７ｉを配設し、洋式水洗便器２の使用時に両手を掛けられるように形成してある。
かかる長椅子１７は、上からの荷重に強いように構造化し、地震等で天井が落ちた場合でも該天井を受け止めて正面および右側面の壁面部１ｂとの間に避難空間１８を確保し得るように形成してある。
【００２０】
これにより、長椅子１７がガイドレール１６に案内されて右方へ移動して、右側面側が右側面の壁面部１ｂに添接した状態では、便器収納部１７ｃ内に洋式水洗便器２，ペーパーホルダー４，手摺り杆５，操作盤６が収納されて外から見えないように遮蔽されることになる（図１６参照）。
そして、長椅子１７がガイドレール１６に案内されて左方へ移動して、右側面側が右側面の壁面部１ｂから離れて洋式水洗便器２がこれを使用可能なまでに現れた状態では、洋式水洗便器２，ペーパーホルダー４，手摺り杆５，操作盤６が全て使用可能に見えるように現れてトイレスペースＳが形成され且つ避難空間１８が確保されることになる（図１４参照）。また、突状手摺り部１７ｅあるいは横バー状手摺り杆１７ｉに両手をそれぞれ掛けることにより、洋式水洗便器２に対する立ち座りがし易くなる。
さらに、操作レバー１７ｊ操作により、洋式水洗便器２の前部２ｃと横バー状手摺り杆１７ｉとの間の間隔を体の大きさに応じて使いやすく調整可能である。また、突状手摺り部１７ｅは長椅子１７を右側面の壁面部１ｂから離す際の手掛け部としても働くことになる。
【００２１】
図１８には本発明の室内便器収納構造における手摺り部の他の１形態を例示しており、手摺り板１９を帯状の平板に形成して腕を乗せやすくしてあり、また、長手方向の側縁に沿い長孔１９ａを開けて形成した握り部１９ｂを手で握り易くし、板面に肘を掛けて体重を乗せやすくしてある。
【図面の簡単な説明】
【００２２】
【図１】本発明の室内便器収納構造における実施の１形態を例示し、洋箪笥を前に出した状態の平面図。
【図２】正面図。
【図３】側面図。
【図４】洋箪笥を後側に動かして洋式水洗便器を遮蔽した状態の縦断面図。
【図５】間隔調整手段の部分拡大縦断面図。
【図６】本発明の室内便器収納構造における実施の他の１形態を例示し、整理箪笥を左側に動かした状態の正面図。
【図７】平面図
【図８】整理箪笥を右側に動かして洋式水洗便器を遮蔽した状態の縦断面図。
【図９】部分拡大縦断面図。
【図１０】本発明の室内便器収納構造における実施の他の１形態を例示し、椅子を前に出した状態の平面図。
【図１１】正面図。
【図１２】椅子を後側に動かして洋式水洗便器を遮蔽した状態の縦断面図。
【図１３】間隔調整手段の部分拡大縦断面図。
【図１４】本発明の室内便器収納構造における実施の他の１形態を例示し、長椅子を左側に動かした状態の正面図。
【図１５】平面図。
【図１６】長椅子を右側に動かして洋式水洗便器を遮蔽した状態の縦断面図。
【図１７】部分拡大縦断面図。
【図１８】手摺り部の他の実施例を示す平面図。
【符号の説明】
【００２３】
１  寝室（室内）
１ａ  隅部
１ｂ  壁面部
１ｃ  天井部
１ｄ  床部
２  洋式水洗便器
２ａ  洗浄水タンク
２ｂ  ボール面
３  給水管
４  ペーパーホルダー
５  手摺り杆
６  操作盤
７，１０，１６  ガイドレール
８  洋箪笥（家具）
８ａ  凹部
８ｂ，１１ｂ，１３ａ，１７ｂ  車輪
８ｃ，１１ｃ，１３ｂ，１７ｃ  便器収納部
８ｄ  扉
８ｅ，８ｇ，１１ｅ  収納部
８ｆ，１１ｄ  戸
８ｈ  引出し
８ｍ，１３ｍ  間隔調整手段
８ｒ  レバー
８ｖ，１１ｆ，１３ｋ，１７ｊ  操作レバー
９，１２，１５，１８  避難空間
１０ａ．１６ａ  溝部
１１  整理箪笥（家具）
１１ａ  突条
１１ｇ，１７ｉ  横バー状手摺り杆
１３  椅子（家具）
１３ｃ  背凭れ上縁部
１３ｄ  凹窪状手摺り部
１３ｅ，１７ｈ  凹状収納部
１３ｇ  縦棒状手摺り杆
１３ｈ  座部
１３ｉ  ホルダー
１３ｊ  横棒状手摺り杆
１３ｍ  間隔調整手段
１３ｎ  アーム部
１３ｐ  長孔
１３ｒ  レバー
１３ｓ  ネジ部
１３ｔ  ネジ孔
１３ｕ  蓋部
１３ｖ  開口部
１４  花器
１７  長椅子（家具）
１７ａ  突条
１７ｄ  肘掛部
１７ｅ  突状手摺り部
１７ｆ  座部
１７ｇ  座部兼用蓋
１９  手摺り板
１９ａ  長孔
Ｓ  トイレスペース
【図１】
2007202832.tif 000003
【図２】
2007202832.tif 000004
【図３】
2007202832.tif 000005
【図４】
2007202832.tif 000006
【図５】
2007202832.tif 000007
【図６】
2007202832.tif 000008
【図７】
2007202832.tif 000009
【図８】
2007202832.tif 000010
【図９】
2007202832.tif 000011
【図１０】
2007202832.tif 000012
【図１１】
2007202832.tif 000013
【図１２】
2007202832.tif 000014
【図１３】
2007202832.tif 000015
【図１４】
2007202832.tif 000016
【図１５】
2007202832.tif 000017
【図１６】
2007202832.tif 000018
【図１７】
2007202832.tif 000019
【図１８】
2007202832.tif 000020
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
室内に、該室内の隅部に配置した洋式水洗便器と、前記洋式水洗便器が収納可能な大きさの便器収納部を底面側と背面側と一側面側のうちの少なくとも背面側に開口して形成してある車輪付き家具を有し、この車輪付き家具を洋式水洗便器に対して接離する方向に室内の天井部におけるガイドレールに沿い床上を移動および停止状態にロック可能に形成すると共に、該家具における背面側および／または一側面側に手摺り部を配設し、家具に設けられた間隔調整手段により手摺り部と洋式水洗便器前部との間の間隔を拡縮調整可能に移動自在に形成し、車輪付き家具がガイドレールに沿い移動した跡の水洗便器が現れた状態で、当該家具により地震等で落ちる天井を受け止めて壁面部との間に避難空間を確保し得るように形成してあることを特徴とする室内便器収納構造。
【請求項２】
間隔調整手段は、レバーを回して締めつけることで、手摺り部を洋式水洗便器の前部の適宜間隔をおいた前位置にロック自在であると共に、レバーを逆回しして緩めることで、手摺り部と洋式水洗便器の前部との間隔を調整自在に形成してあることを特徴とする請求項１記載の室内便器収納構造。
【請求項３】
家具における左右側面の操作レバーを操作することでコントロールケーブルを経て車輪をロックおよびロック解除して移動および停止可能にしてあることを特徴とする請求項１または２記載の室内便器収納構造。
【請求項４】
請求項１〜３のいずれか１項記載の室内便器収納構造を有することを特徴とする居室。
【手続補正２】
【補正対象書類名】明細書
【補正対象項目名】全文
【補正方法】変更
【補正の内容】
【発明の詳細な説明】
【技術分野】
【０００１】
本発明は、室内の隅部に配置された洋式水洗便器の収納構造ならびに居室に関する。
【背景技術】
【０００２】
特許文献１に掲載されている家具調圧送便器がある。これの構成は、少なくとも洗浄水を貯留するロータンクと、排水を溜める汚水タンク及び排水を圧送する圧送ポンプを隠蔽状に内装させ、家具調に外装仕上げしたものである。また、底側に移動可能に車輪を設けたことが記載され、さらに、前記圧送ポンプに接続された排水用ホースを、内部に隠蔽状に収納可能に構成したことが記載されている。
そして、外観が家具調に形成されて室内に設置しても不潔感がなく、他の家具と一体感をなして室内に良好に設置することができるものとなる。また、容易に設置場所を移動させて移設することができるものとなる。また、排水用ホースをも内部に隠蔽させて良好な家具調に仕上げることができ、所定場所に設置後に容易に排水用ホースを取り出して排水管等に接続し、室内に容易に家具調圧送便器の設置が可能となる効果があるとしている。
ところが、かかる家具調圧送便器では、洗浄水を貯留するロータンクと、排水を溜める汚水タンク及び排水を圧送する圧送ポンプを内装した一体型であるために、各タンクは一定以上の容量のものになって大型化し、しかも、ロータンクへの洗浄水の給水作業や排水用ホースを取り出して排水管等に接続する作業を要し、衛生面からも慎重な作業になるし、また、排水用ホースが屋内を這うことになって見た目の印象が悪い。
【特許文献１】特開平１０−２５９６３４
【発明の開示】
【発明が解決しようとする課題】
【０００３】
解決しようとする課題は、第１には、車輪付き家具を移動することで簡単にトイレスペースを確保し、この家具の移動跡に現れる洋式水洗便器を該便器の前および／または前横の手摺り部を掴んだり肘を置く等して、洋式水洗便器に座ったり立ち上がったりする際に体力的な負担が大きい高齢者や肥満の人等でも比較的にたやすく動いて使用可能にすると共に、洋式水洗便器前部と手摺り部との間の間隔を体の大きさに応じて調整して、もっとも使い易いように手摺り部位置を調整可能にし、普段は遮蔽されて洋式水洗便器が見えず、また、前記トイレスペースが地震時における避難スペースにもなり、狭いスペースを有効活用可能である室内便器収納構造を、第２には、さらに、洋式水洗便器前部と手摺り部との間の間隔調整を、家具におけるレバーを回し操作するだけでたやすく行える室内便器収納構造を、第３には、さらに、家具における操作レバーにより車輪付き家具の移動が容易に行える室内便器収納構造を、第４には、家具そしてトイレスペースさらに避難スペースを共有し、日常生活を支障なく送ることが可能であると共に地震等の緊急時に備えがある居室を提供することにある。
【課題を解決するための手段】
【０００４】
本発明は前記した課題を達成するため、以下の構成にしたことを特徴とする。
１．室内に、該室内の隅部に配置した洋式水洗便器と、前記洋式水洗便器が収納可能な大きさの便器収納部を底面側と背面側と一側面側のうちの少なくとも背面側に開口して形成してある車輪付き家具を有し、この車輪付き家具を洋式水洗便器に対して接離する方向に室内の天井部におけるガイドレールに沿い床上を移動および停止状態にロック可能に形成すると共に、該家具における背面側および／または一側面側に手摺り部を配設し、家具に設けられた間隔調整手段により手摺り部と洋式水洗便器前部との間の間隔を拡縮調整可能に移動自在に形成し、車輪付き家具がガイドレールに沿い移動した跡の水洗便器が現れた状態で、当該家具により地震等で落ちる天井を受け止めて壁面部との間に避難空間を確保し得るように形成してあることを特徴とする。
２．前記した１において、間隔調整手段は、レバーを回して締めつけることで、手摺り部を洋式水洗便器の前部の適宜間隔をおいた前位置にロック自在であると共に、レバーを逆回しして緩めることで、手摺り部と洋式水洗便器の前部との間隔を調整自在に形成してあることを特徴とする。
３．前記した１または２において、家具における左右側面の操作レバーを操作することでコントロールケーブルを経て車輪をロックおよびロック解除して移動および停止可能にしてあることを特徴とする。
本発明の居室では以下の構成にしたことを特徴とする。
４．前記した１〜３のいずれか１記載の室内便器収納構造を有していることを特徴とする。
【０００５】
本発明における室内の隅部に配置される洋式水洗便器は、床据え付けタイプのものであってもよいし、壁に取り付け固定される壁取付タイプのものでもよい。また、局部洗浄乾燥装置付きのものでもよいし、便座が加温可能なものであってもよい。
家具は、車輪付きのものになり、洋箪笥，和箪笥，整理箪笥等の各種の箪笥、戸棚、書棚等が挙げられ、上からの荷重に強い構造にしてあるものが望ましい。車輪は、家具の移動方向が自由である旋回可能なキャスタータイプあるいは移動方向が一方向に規制されるコロタイプのもの等が挙げられる。この車輪による家具の移動および停止は、各車輪に備えられているブレーキを個別に操作して行なうタイプのものであってもよいし、家具あるいは手摺り部に備えられているレバー等でコントロールケーブルを経て遠隔操作して行なうタイプのものでもよく、この場合は取り扱い操作しやすくなる。たとえば、車輪がロックされた状態を、レバーを引く等の操作をすることでロック解除し得るようにしてもよいし、また、車輪のロックピンをソレノイドで駆動させてロック解除するようにしてある電動タイプのものでもよい。
かかる家具における便器収納部は、少なくとも洋式水洗便器を収納可能な大きさに開口されるが、さらに、洋式水洗便器に接続する給水管等の配管、洋式水洗便器における局部洗浄乾燥装置の洗浄・乾燥等の各種スイッチ類がある操作盤等を含めて遮蔽可能に開口形成していてもよい。また便器収納部は、洋式水洗便器が床据え付けタイプのものである場合、少なくとも底面側を含めて背面側に開口形成されることになり、洋式水洗便器が壁取付タイプのものである場合には、少なくとも背面側に開口形成されていればよく、底面側は開口してもしなくともよい。
また、家具における手摺り部は、箪笥等の背面側あるいは側面側に棒状体あるいは板状体等を配設して形成するようにしてもよい。また、手摺り部は、洋式水洗便器前方に向けて引き出しあるいは揺動可能なものでもよいし、洋式水洗便器前部との間の間隔を調整可能に形成してあるものになる。かかる手摺り部の間隔調整手段は、体の大きさに応じて洋式水洗便器前部との間の間隔を調整可能なものであればよい。
ガイドレールは、洋式水洗便器に対して家具を接離可能な方向に誘導可能であればよく、天井に配設される。
居室とは、寝室を含む屋内の全ての居住空間を指す。
【発明の効果】
【０００６】
Ａ．請求項１により、車輪付き家具を移動することで簡単にトイレスペースが確保でき、この家具の移動跡に現れる洋式水洗便器を該便器の前および／または前横の手摺り部を掴んだり肘を置く等して、洋式水洗便器に座ったり立ち上がったりする際に体力的な負担が大きい高齢者や肥満の人等でも比較的にたやすく動いて使用できる。そして、使用後には家具を戻すことにより、洋式水洗便器が家具で遮蔽されて見えなくなるので、訪問者は洋式水洗便器があることさえ気付かず違和感がない。また、前記トイレスペースは移動させた家具と壁面との間に確保されるので、地震時における避難スペースとしても有用であり、狭いスペースを有効活用できる。
洋式水洗便器前部と手摺り部との間の間隔を体の大きさに応じて調整することができ、老若男女を問わず各人がもっとも使い易いように調整できる。
車輪付き家具が予期せぬ方向に動くようなことがなく、動きが方向づけられていて移動が容易である。
Ｂ．請求項２により、さらに、洋式水洗便器前部と手摺り部との間の間隔調整を、レバーを回し操作するだけでたやすく行える。
Ｃ．請求項３により、さらに、操作が簡単で車輪付き家具の移動が容易である。
Ｄ．請求項４により、家具そしてトイレスペースさらに避難スペースを共有していることで、日常生活を支障なく送ることができると共に地震等の緊急時にも有用である。
【発明を実施するための最良の形態】
【０００７】
図１〜図５には本発明の室内便器収納構造における実施の１形態を例示しており、寝室１の隅部１ａに洋式水洗便器２を正面の壁面部１ｂに沿うように横向きに据え付けてある。また、洋式水洗便器２近くの壁面部１ｂには換気扇１８を備えて臭気等が抜け易くしてある。
洋式水洗便器２は、局部洗浄乾燥機能付きの据え置きタイプのもので、正面の壁面部１ｂの給水管３から吐水レバー付き洗浄水タンク２ａを経てボール面２ｂに給水可能にしてある。この洋式水洗便器２脇の正面の壁面部１ｂにはペーパーホルダー４および略Ｌ字状手摺り杆５ならびに局部洗浄乾燥装置（図示セズ）における洗浄・乾燥等の各種スイッチ類がある操作盤６を使い易い位置関係に適宜配設してある。
そして、洋式水洗便器２の直上の天井部１ｃには左右一対のガイドレール７を正面の壁面部１ｂ際から手前に向けて前後方向に垂設し、この左右平行状のガイドレール７に沿い床部１ｄ上の洋箪笥８を正面側および背面側（前後方向）に移動可能に配設してある。
【０００８】
洋箪笥８は、上面側の左右側縁に断面略Ｌ状の凹部８ａを設け、この左右の凹部８ａにそれぞれ遊合状のガイドレール７に誘導されて前後方向に移動可能に形成してある。また、洋箪笥８における底面側の四隅には車輪８ｂを固設して床部１ｄ上を移動しやすくしてあると共に、左右側面の操作レバー８ｖを操作することでコントロールケーブルを経て車輪８ｂをロックおよびロック解除して移動および停止可能にしてあり、背面側には便器収納部８ｃを底面側を含めて開口して形成してある。便器収納部８ｃは、隅部１ａの洋式水洗便器２及び壁面部１ｂのペーパーホルダー４，略Ｌ字状手摺り杆５，操作盤６を収納して遮蔽可能な大きさに形成してある。
便器収納部８ｃ内におけるほぼ中間の床上６０ｃｍ程度の高さに横棒状手摺り杆８ｉを備えてある。この横棒状手摺り杆８ｉはホルダー８ｊ内すなわち便器収納部８ｃ内から洋式水洗便器２の前部２ｃの前側すなわち同便器の使用時に手あるいは腕を掛けやすい位置にまで引き出しおよび押し戻し可能に設けてある。そして、横棒状手摺り杆８ｉは洋式水洗便器２の前部２ｃとの間の間隔を拡縮調整可能に形成してある。具体的には、ベース部８ｋにホルダー８ｊを配設して間隔調整手段８ｍにより左右方向に移動およびロック可能に配設してある。また、便器収納部８ｃ内におけるホルダー８ｊ後端近くに縦棒状手摺り杆８ｕを配設してある。
【０００９】
間隔調整手段８ｍは、ホルダー８ｊのアーム部８ｎにおける左右方向の長孔８ｐにレバー８ｒのネジ部８ｓを通し、該ネジ部８ｓをベース部８ｋのネジ孔８ｔに螺合してあり、このレバー８ｒを回して締めつけてベース部８ｋにアーム部８ｎを固定することで、横棒状手摺り杆８ｉを洋式水洗便器２の前部２ｃの適宜間隔をおいた前位置にロック自在であると共に、レバー８ｒを逆回しして緩めてホルダー８ｊを左右に移動させることで、横棒状手摺り杆８ｉと洋式水洗便器２の前部２ｃとの間隔を調整自在にしてある。
また、洋箪笥８の正面側には、観音開きの扉８ｄを開閉することで洋服等を出し入れ可能な収納部８ｅ、引き違いの戸８ｆを開閉することで小物等を出し入れ可能な収納部８ｇ、引出し８ｈを設けてある。
かかる洋箪笥８は、上からの荷重に強いように構造化し、地震等で天井が落ちた場合でも該天井を受け止めて正面の壁面部１ｂとの間に避難空間９を確保し得るように形成してある。
【００１０】
これにより、洋箪笥８がガイドレール７に案内されて後方へ移動して、背面側が正面の壁面部１ｂに添接した状態では、便器収納部８ｃ内に洋式水洗便器２，ペーパーホルダー４，略Ｌ字状手摺り杆５，操作盤６が収納されて外から見えないように遮蔽されることになる（図４参照）。
そして、洋箪笥８がガイドレール７に案内されて前方へ移動して、背面側が正面の壁面部１ｂから離れて洋式水洗便器２がこれを使用可能なまでに現れた状態では、洋式水洗便器２，ペーパーホルダー４，略Ｌ字状手摺り杆５，操作盤６が全て使用可能に見えるように現れてトイレスペースＳが形成され且つ避難空間９が確保されることになる（図３参照）。また、略Ｌ字状手摺り杆５に左手を、縦棒状手摺り杆８ｕに右手を、それぞれ掛けることにより、洋式水洗便器２に対する立ち座り動作がし易くなる。また、横棒状手摺り杆８ｉを引き出して両手あるいは両腕を掛けることにより、洋式水洗便器２に対する立ち座り動作がし易くなる。さらに、レバー８ｒ操作により、洋式水洗便器２の前部２ｃと横棒状手摺り杆８ｉとの間の間隔を体の大きさに応じて使いやすく調整可能である。
【図面の簡単な説明】
【００１１】
【図１】本発明の室内便器収納構造における実施の１形態を例示し、洋箪笥を前に出した状態の平面図。
【図２】正面図。
【図３】側面図。
【図４】洋箪笥を後側に動かして洋式水洗便器を遮蔽した状態の縦断面図。
【図５】間隔調整手段の部分拡大縦断面図。
【符号の説明】
【００１２】
１  寝室（室内）
１ａ  隅部
１ｂ  壁面部
１ｃ  天井部
１ｄ  床部
２  洋式水洗便器
２ａ  洗浄水タンク
２ｂ  ボール面
２ｃ  前部
３  給水管
４  ペーパーホルダー
５  手摺り杆
６  操作盤
７  ガイドレール
８  洋箪笥（家具）
８ａ  凹部
８ｂ  車輪
８ｃ  便器収納部
８ｄ  扉
８ｅ  収納部
８ｆ  戸
８ｇ  収納部
８ｈ  引出し
８ｉ  横棒状手摺り杆
８ｊ  ホルダー
８ｋ  ベース部
８ｎ  アーム部
８ｍ  間隔調整手段
８ｐ  長孔
８ｒ  レバー
８ｓ  ネジ部
８ｔ  ネジ孔
８ｕ  縦棒状手摺り杆
８ｖ  操作レバー
９  避難空間
Ｓ  トイレスペース
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】
【手続補正５】
【補正対象書類名】図面
【補正対象項目名】図８
【補正方法】削除
【補正の内容】
【手続補正６】
【補正対象書類名】図面
【補正対象項目名】図９
【補正方法】削除
【補正の内容】
【手続補正７】
【補正対象書類名】図面
【補正対象項目名】図１０
【補正方法】削除
【補正の内容】
【手続補正８】
【補正対象書類名】図面
【補正対象項目名】図１１
【補正方法】削除
【補正の内容】
【手続補正９】
【補正対象書類名】図面
【補正対象項目名】図１２
【補正方法】削除
【補正の内容】
【手続補正１０】
【補正対象書類名】図面
【補正対象項目名】図１３
【補正方法】削除
【補正の内容】
【手続補正１１】
【補正対象書類名】図面
【補正対象項目名】図１４
【補正方法】削除
【補正の内容】
【手続補正１２】
【補正対象書類名】図面
【補正対象項目名】図１５
【補正方法】削除
【補正の内容】
【手続補正１３】
【補正対象書類名】図面
【補正対象項目名】図１６
【補正方法】削除
【補正の内容】
【手続補正１４】
【補正対象書類名】図面
【補正対象項目名】図１７
【補正方法】削除
【補正の内容】
【手続補正１５】
【補正対象書類名】図面
【補正対象項目名】図１８
【補正方法】削除
【補正の内容】